(57)【要約】【課題】  排水ヘッダーに並列して連結した複数の横枝管を一体的同時に安定して効率よく支持し得る専用の支持金具を提供する。【解決手段】  ２乃至３本の横枝管８をカバーする長さのベースプレート１の長手方向両端部に一対の起立ボルト２を起立し，これにそれぞれナット２１を締着することによって上下動自在に固定した可動プレート３を配置するとともにこの可動プレート３に下端を固定することによってその直交方向に開口して所定ピッチに並列したそれぞれ開閉自在にして同径複数連の並列バンド４を設けて支持金具Ａを形成し，横枝管８下のスラブにベースプレート１を固定し，横枝管８の下端近傍に可動プレート３を水平支持し，その並列バンド４を開いてそれぞれ横枝管８を受入れ支持するようにして，その作業の容易性と支持の安定性を確保し得るようにする。【選択図】        図４
2005054901.tif 000002
【特許請求の範囲】
【請求項１】
長寸のベースプレートと，該ベースプレートの長手方向両端部に起立した一対の起立ボルトと，該一対の起立ボルトにそれぞれナットを締着することによって上下動自在に固定した同じく長寸の可動プレートと，該可動プレートに下端を固定することによってその直交方向に開口して所定ピッチに並列したそれぞれ開閉自在にして同径複数連の並列バンドとを備えてなることを特徴とする排水ヘッダー連結の横枝管並列支持金具。
【請求項２】
上記可動プレートを，鋼製のチャンネル材を用いることによって撓み防止用の可動プレートとしてなることを特徴とする請求項１に記載の排水ヘッダー連結の横枝管並列支持金具。
【請求項３】
上記可動プレート及びこれに下端を固定した並列バンドに代えて，長手方向所定ピッチに並列した所定角度にして同一半径複数連の並列隆起部を有して上下に対向配置することによって直交方向に開口した同径複数連の並列バンドを形成自在の上下一対にして長寸の対向架設プレートを用いてなることを特徴とする請求項１に記載の排水ヘッダー連結の横枝管並列支持金具。
【請求項４】
上記上下に一対にして長寸の対向架設プレートを同一形状の共用プレートとし，その一方を反転使用することによって上下に対称に対向配置してなることを特徴とする請求項３に記載の排水ヘッダー連結の横枝管並列支持金具。
【請求項５】
上記並列バンドを２連有する機種と３連有する機種としてこれらの機種間で並列バンドを全て同径とした同径共通２機種を形成しその選択使用によって任意現場の横枝管本数に対する自在の組合せ支持を可能としてなることを特徴とする請求項１，２，３又は４に記載の排水ヘッダー連結の横枝管並列支持金具。
【発明の詳細な説明】
【技術分野】
【０００１】
本発明はマンション等の建造物における配管を支持する支持金具に関し，特に排水ヘッダーに連結した排水用の横枝管を躯体に固定支持する排水ヘッダー連結の横枝管並列支持金具に関する。
【背景技術】
【０００２】
この種配管の支持金具として，短寸のベースプレートと，該ベースプレートの長手方向両端部に起立した一対の起立ボルトと，該一対の起立ボルトにそれぞれナットを締着することによって上下動自在に配置して直交方向に開口する単一並列バンドを形成する，一方を起立ボルト係合状態で開閉自在に分割形成し他方を一体とした上下に一対のバンドを備えたものが知られている。
【０００３】
【特許文献１】特開平１０−１６００４８号
【発明の開示】
【発明が解決しようとする課題】
【０００４】
この場合並列バンドは単一であるから，該支持金具は，異径，異高の多数の配管が混在した箇所でそれぞれの配管を個別に支持する場合に有効に使用され得るが，例えばマンションやオフィスビルの各部屋からの横枝管（排水管）を排水ヘッダーを介して排水本管に連結するとき，各部屋から所定勾配を付してスラブに支持した横枝管を排水ヘッダー位置に集合して該排水ヘッダーに連結することが行われ，このとき排水ヘッダーは独立行政法人を含む複数の企業体によって規格化したものが使用されている。
【０００５】
この排水ヘッダーを使用すると，集合した横枝管は排水ヘッダーの標準バルブピッチに合わせた１２ｃｍのピッチで，排水ヘッダーまでの１〜２ｍ程度の間で平行且つ同一勾配の並列状態に配置され，このとき横枝管の直径は一般に６ｃｍとされるから，集合箇所においては横枝管同士が近接し，その間のスペースは一般に５，６ｃｍ程度のものとなる。
【０００６】
このとき横枝管の支持を上記単一並列バンドの支持金具を使用して行なうと，各横枝管を挟んだ両側でベースプレートのスラブに対するアンカー等固定金具による固定作業と並列バンドに横枝管を抱持固定する横枝管側面位置のナット操作の横枝管固定作業が必要となり，一般に横枝管の本数は多いから支持金具による横枝管支持の作業が極めて煩雑となり，またベースプレートの長手方向端部が重合してスラブにベースプレートを固定できないことから，横枝管長手方向に支持位置を大きくずらして，例えば千鳥状等にその支持を行うことも多く，この場合その設置位置の位置出しが個別に必要になって，この点からも作業が煩雑化する。
【０００７】
本発明はかかる事情に鑑みてなされたもので，その解決課題とするところは，排水ヘッダーに連結した横枝管の並列箇所においてその支持を専用になし得るようにして，横枝管支持の安定性と作業性を確保し得るようにした排水ヘッダー連結の横枝管並列支持金具を提供するにある。
【課題を解決するための手段】
【０００８】
上記課題に添って本発明は，隣接して並列する複数の横枝管を該横枝管配置のピッチのまま高さ調整自在に一体的同時にバンド支持することによって作業性よく安定した横枝管支持をなし得るようにしたものであって，即ち請求項１に記載の発明を，長寸のベースプレートと，該ベースプレートの長手方向両端部に起立した一対の起立ボルトと，該一対の起立ボルトにそれぞれナットを締着することによって上下動自在に固定した同じく長寸の可動プレートと，該可動プレートに下端を固定することによってその直交方向に開口して所定ピッチに並列したそれぞれ開閉自在にして同径複数連の並列バンドとを備えてなることを特徴とする排水ヘッダー連結の横枝管並列支持金具としたものである。
【０００９】
請求項２に記載の発明は，上記複数の横枝管を一体的同時にバンド支持することによってその長寸の可動プレートが荷重によって撓み変形するのを防止し得る強度を確保し，長期に亘る安定支持を行なうことができるように，これを，上記可動プレートを，鋼製のチャンネル材を用いることによって撓み防止用の可動プレートとしてなることを特徴とする請求項１に記載の排水ヘッダー連結の横枝管並列支持金具としたものである。
【００１０】
請求項３に記載の発明は，上記請求項１に記載の支持金具に代えて使用し得る低コストにして簡易な他の形態の支持金具を提供し得るように，これを，上記可動プレート及びこれに下端を固定した並列バンドに代えて，長手方向所定ピッチに並列した所定角度にして同一半径複数連の並列隆起部を有して上下に対向配置することによって直交方向に開口した同径複数連の並列バンドを形成自在の上下一対にして長寸の対向架設プレートを用いてなることを特徴とする請求項１に記載の排水ヘッダー連結の横枝管並列支持金具としたものである。
【００１１】
請求項４に記載の発明は，上記長寸の対向架設プレートを上下で部材共通化を図るものとすることによって単一多数の対向架設プレートを用いて支持金具を構成することができるように，これを，上記上下に一対にして長寸の対向架設プレートを同一形状の共用プレートとし，その一方を反転使用することによって上下に対称に対向配置してなることを特徴とする請求項３に記載の排水ヘッダー連結の横枝管並列支持金具としたものである。
【００１２】
請求項５に記載の発明は，並列２本の横枝管と並列３本の横枝管を一体的同時に支持するように並列バンドを２連と３連とした支持金具の機種を形成具備して，その組合せによって常に４本以上の任意本数に並列した横枝管をカバーする支持金具とすることができるように，これを，上記並列バンドを２連有する機種と３連有する機種としてこれらの機種間で並列バンドを全て同径とした同径共通２機種を形成しその選択使用によって任意現場の横枝管本数に対する自在の組合せ支持を可能としてなることを特徴とする請求項１，２，３又は４に記載の排水ヘッダー連結の横枝管並列支持金具としたものである。
【００１３】
本発明はこれらをそれぞれ発明の要旨として上記課題解決の手段としたものである。
【発明の効果】
【００１４】
請求項１に記載の発明は，隣接して並列する複数の横枝管を該横枝管配置のピッチのまま高さ調整自在に一体的同時にバンド支持することによって作業性よく安定した横枝管支持を行なうことにより，排水ヘッダーに連結した横枝管の並列箇所においてその支持を専用になし得るようにして，横枝管支持の安定性と作業性を確保し得るようにした排水ヘッダー連結の横枝管並列支持金具を提供することができる。また該支持金具は起立ボルトに上下動自在に固定した可動プレートを備え，これに同径複数連の並列バンドの下端を固定したから，起立ボルトにおける可動プレートの固定位置は横枝管下端近傍位置となり，同一高さの起立ボルトを使用した場合，横枝管の中央線位置が起立ボルトの固定位置となる従来のものに比して，固定位置が横枝管のほぼ半径相当程度の寸法分低くなり，その分起立ボルトにおける可動プレートの上下動範囲が拡大して，横枝管支持の高さ範囲を拡大することができる。
【００１５】
請求項２に記載の発明は，上記に加えて，上記複数の横枝管を一体的同時にバンド支持することによってその長寸の可動プレートが荷重によって撓み変形するのを防止し得る強度を確保し，長期に亘る安定支持を行なうことができる支持金具とすることができる。
【００１６】
請求項３に記載の発明は，上記と同様に，隣接して並列する複数の横枝管を該横枝管配置のピッチのまま高さ調整自在に一体的同時にバンド支持することによって作業性よく安定した横枝管支持を行なうことにより，排水ヘッダーに連結した横枝管の並列箇所においてその支持を専用になし得るようにして，横枝管支持の安定性と作業性を確保し得るようにした排水ヘッダー連結の横枝管並列支持金具を提供することができる。またこのとき上記可動プレートと同径複数連の並列バンドに代えて，対向配置することによって並列バンドを形成自在の並列隆起部を有する上下に一対にして長寸の対向架設プレートを用いることによって，部材数及び製造工程を減少して低コストにして簡易なものとすることができる。
【００１７】
請求項４に記載の発明は，上記に加えて，上記長寸の対向架設プレートを上下で部材共通化を図ることによって単一多数の対向架設プレートを用いて支持金具を構成することができる。
【００１８】
請求項５に記載の発明は，それぞれ上記に加えて，並列２本の横枝管と並列３本の横枝管を一体的同時に支持するように並列バンドを２連と３連とした支持金具の機種を形成具備して，その組合せによって常に４本以上の任意本数に並列した横枝管をカバーする支持金具とすることができる。
【発明を実施するための最良の形態】
【００１９】
以下図面の例に従って本発明を更に具体的に説明すれば，図１乃至図６においてＡは，排水ヘッダー７に連結した横枝管８を並列支持するように用いる支持金具であり，該支持金具Ａは，長寸のベースプレート１と，ベースプレート１の長手方向両端部に起立した一対の起立ボルト２と，該一対の起立ボルト２にそれぞれナット２１を締着することによって上下動自在に固定した同じく長寸の可動プレート３と，該可動プレート３に下端を固定することによってその直交方向に開口して所定ピッチに並列したそれぞれ開閉自在にして同径複数連の並列バンド４とを備えた，例えば鋼製のものとしてあり，本例にあって該支持金具Ａは，図１に３連の例を示し，図３に２連の例を示すように，上記並列バンド４を２連有する機種と３連有する機種としてこれらの機種間で並列バンドを全て同径とした同径共通２機種を形成しその選択使用によって任意現場の横枝管本数に対する自在の組合せ支持を可能としたものとしてある。
【００２０】
ベースプレート１は，３連のものにあって，例えば４７ｃｍ×３ｃｍ程度，２連のものにあって３５ｃｍ×３ｃｍ程度の長さと幅をそれぞれ有する長寸にして幅広の厚肉鋼板によるものとし，その長手方向両端及び中央にスラブ固定のためにアンカー乃至コンクリート釘等の固定金具を挿通する透孔１１を設けたものとしてあり，該透孔１１の内側位置にそれぞれ両端一対のナット１２を溶着し，該溶着したナット１２に起立ボルト２の下端を螺装するとともにロックナット１３を締着することによってベースプレート１の長手方向両端部に，本例にあってそれぞれ１５ｃｍ程度の長さの一対の起立ボルト２を起立固定してある。
【００２１】
可動プレート３は，上記ベースプレート１の透孔１１に固定金具を挿通し得るように該ベースプレート１より幾分短尺にして上記３連のものにあっては４２ｃｍ×３ｃｍ，２連のものにあっては３０ｃｍ×３ｃｍ程度の長さと幅をそれぞれ有する，同じく長寸にして幅広の厚肉鋼板によるものとし，上記両端部一対の起立ボルト２位置に合せてその長手方向両端にボルト挿通孔３１を透設するとともに，本例にあっては鋼製のチャンネル材，特に幅方向一端部を下方に折曲したＬ字チャンネル材を用いることによって該可動プレート３を撓み防止用のものとしてある。
【００２２】
並列バンド４は，例えば半円一対のバンド片４１と，該バンド片４１をその一端で開閉自在に連結したヒンジ４２と，バンド片４１の各他端に水平に突出して面内にボルト孔４４を透設し且つその下面にナット４５を溶着した締着片４３とを備えて厚肉鋼板によって形成したものとし，バンド片４１を閉鎖して重合した締着片４３の上方から下向きのボルト４６を下面のナット４５に螺装して該締着片４３を締着することによって並列バンド４を形成するようにするとともにバンド片４１による円弧径を横枝管８の外径に合せることによって横枝管８を受入れてこれを抱持状に支持するようにしてあり，このとき該並列バンド４はその下位のバンド片４１の長手方向中間底部，特に中央底部を上記可動プレート３上に載置し，例えば溶着によって固定してあり，並列バンド４は上記３連のものはこれを３つ，２連のものは２つ使用して，それぞれ並列バンド４のピッチを，例えば１２ｃｍとすることによって排水ヘッダー７に連結した横枝管８の並列ピッチと合せるようにしてある。本例の並列バンド４は，例えばその内径を横枝管８の外径に合せて６ｃｍ程度とし，幅をベースプレート１よりやや細い２．５ｃｍ程度として，上記可動プレート３に相互に水平をなすように固定してある。
【００２３】
図中は起立ボルト２に可動プレート３を固定するために，可動プレート３の端部を上下で挟持するように締着する上下を対とする固定ナット，６は排水集合管，７１は排水ヘッダー７のサポートバンド，７２はその排水ヘッダー支持用の円形バンド部，７３は排水ヘッダー７の掃除口，７４はその開閉蓋，７５はジョイントフランジをそれぞれ示す。なお図２に示す図１の支持金具の側面図は図３の支持金具と共通である。
【００２４】
このように形成した支持金具Ａによる横枝管８の並列支持は，例えばベースプレート１をスラブの所定位置に固定金具を用いて固定し，これに可動プレート３をその並列バンド４がその上方に位置するように起立ボルト２に固定ナット２１を用いて水平に仮固定し，その後に可動プレート３における各上位のバンド片４１をヒンジ４２によって回動して各並列バンド４を開放し，その下位のバンド片４１に排水ヘッダー７に連結した各横枝管８を仮置きし，固定ナット２１の操作によって可動プレート３を上下動してその高さ調整を行なった後に上位のバンド片４１を回動して各並列バンド４を閉鎖して並列バンド４に横枝管８を受入れ，これによって重合する各締着片４３をボルト４６によって締着するように行えばよく，これによって排水ヘッダー７に連結することによって並列する横枝管８は支持金具Ａにより一体的同時に安定して効率よく支持される。このとき横枝管８は１／１００程度の勾配を付して配置されるから，排水ヘッダー７からの距離が離れる程横枝管８の支持高さが高くなるが，本例にあっては可動プレート３が横枝管８の下端近傍位置で起立ボルト２に固定されるため，起立ボルト２の上方に横枝管８の半径に相当する寸法分の余裕が残ることにより，その分高い位置の横枝管８の並列支持が可能となり，高さを抑制したコンパクトな支持金具Ａを用いて排水ヘッダー７から比較的遠くに離隔して高い位置にある横枝管８の支持を行なうことができる。なお本例のバンド片４１の幅を２．５ｃｍ程度としたから，その水平配置によっても，上記１／１００の勾配によって傾斜する横枝管８の支持を空隙を生じたりすることなく確実且つ安定して行うことができる。
【００２５】
また本例の支持金具Ａは，上記３連と２連の同径共通２機種のものとしたから，現場で並列する横枝管８の本数を確認し，その合計数に合せてこれらを組合せ使用することによって，並列する横枝管８の本数の多少を問わずにその現場対応を確実に行うことが可能となる。
【００２６】
図７乃至図９は他の支持金具Ａの例を示すもので，本例の支持金具Ａは，上記図１乃至図６に示した例の可動プレート３及びこれに下端を固定した並列バンド４に代えて，長手方向所定ピッチに並列した所定角度にして同一半径複数連の並列隆起部５１を有して上下に対向配置することによって直交方向に開口した同径複数連の並列バンド４を形成自在の上下一対にして長寸の対向架設プレート５を用いて構成した例であり，本例にあって該対向架設プレート５は，これを同一形状の共用プレートとし，その一方を反転使用することによって上下に対称に対向配置したものとし，その部材共通化を図ることによって単一多数の対向架設プレート５を用いて支持金具Ａを構成し得るようにしてあり，また上記図１乃至図６の支持金具Ａと同様に，上記並列バンド４を２連有する機種と３連有する機種としてこれらの機種間で並列バンド４を全て同径とした同径共通２機種を形成しその選択使用によって任意現場の横枝管８本数に対する自在の組合せ支持を可能としてある。
【００２７】
即ち本例の支持金具Ａは，上記例と同様に長寸のベースプレート１と，該ベースプレート１の長手方向両端部に起立した一対の起立ボルト２を備えるとともに該一対の起立ボルト２にそれぞれ固定ナット２１を締着することによって上下動自在に固定した対向配置一対の対向架設プレート５を備えて形成したものとしてあり，該対向架設プレート５に上記並列隆起部５１を形成し該並列隆起部５１を対向することによって形成される円弧透孔の並列バンド４に横枝管８を受入れ挟持するようにしてあり，このとき対向架設プレート５は，同様に厚肉鋼板にして同じく幅を２．５ｃｍ乃至３ｃｍ程度とした長寸プレートに所定角度，本例にあっては半円の１／２円にして同径，本例にあっては直径６ｃｍ（半径３ｃｍ）とした３連及び２連の並列隆起部５１をプレス加工によって一体成形し且つ可動プレート３と同じくベースプレート１両端部一対の起立ボルト２位置に合せてその長手方向両端にボルト挿通孔５２を透設した同一形状にして長さを３連のものにあって４２ｃｍ，２連のものにあって３０ｃｍとしたものとしてあり，該同一形状の対向架設プレート５の一方を反転してその一対を両端部の起立ボルト２に対向配置するように使用するものとしてある。なお図７乃至図９に仮想線で示したベースプレート１に起立したボルト２及びそのナット２１は，必要に応じて対向架設プレート５の長手方向中間の，並列隆起部５１間のプレート重合部に適宜に配置して，上下の対向架設プレート５をその中間で締着一体化することによって，複数の横枝管８を一体的同時に支持することによってその長寸の対向架設プレート５が荷重によって撓み変形するのを防止し得る強度を確保し，長期に亘る安定支持を行なうことができるようにした中間の起立ボルトとその固定ナットである。
【００２８】
その余のベースプレート１，起立ボルト２の構成並びに寸法，起立ボルト２と対向架設プレート５の関係等は上記例と変わらないので，同一符号を付してその説明を省略する。
【００２９】
この場合の横枝管の並列支持は，例えばベースプレート１をスラブの所定位置に固定金具を用いて固定し，これに下位の対向架設プレート５を先行してその並列隆起部５１が上方に位置するように起立ボルト２に下の固定ナット２１を用いて水平に仮配置し，該先行配置した下位の対向架設プレート５の各並列隆起部５１に，排水ヘッダー７に連結した各横枝管８を仮置きし，上記下の固定ナット２１の操作によって下位の対向架設プレート５の上下動によりその高さ調整を行なった後に，上位の対向架設プレート５を下位と反転して起立ボルト２に配置し，その並列隆起部５１によって横枝管８を被覆してこれら上下の並列隆起部５１によって形成される並列バンド４によって横枝管８を受入れ，その後に上下位の対向架設プレート５を固定ナット２１によって起立ボルト２に対して一体的に締着するように行えばよく，これによって排水ヘッダー７に連結することによって並列する横枝管８は支持金具Ａにより一体的同時に安定して効率よく支持され，また本例の対向架設プレート５の幅を２．５ｃｍ乃至３ｃｍ程度としたから，その水平配置によっても，同様に上記１／１００の勾配によって傾斜する横枝管８の支持を空隙を生じたりすることなく確実且つ安定して行うことができ，また上記例の支持金具Ａに対して，可動プレート３と並列バンド４に代えて上下に一対の対向架設プレート５を用いたことによって，部材数及び製造工程を減少して低コストにして簡易なものとすることができる。
【００３０】
図示した例は以上のとおりとしたが，支持金具，そのベースプレート，起立ボルト，可動プレート，並列バンド，対向架設プレート，並列隆起部等の各具体的形状，構造，材質，これらの関係，これらに対する付加等は，上記発明の要旨に反しない限り様々の形態のものとすることができる。
【図面の簡単な説明】
【００３１】
【図１】３連の並列バンドを有する支持金具の正面図である。
【図２】図１の支持金具の側面図である。
【図３】２連の並列バンドを有する支持金具の正面図である。
【図４】図１の支持金具と横枝管の関係を示す斜視図である。
【図５】図１の支持金具と横枝管の関係を示す平面図である。
【図６】図１及び図３の支持金具を同時使用したときの横枝管との関係を示す平面図である。
【図７】他の例に係る支持金具の正面図である。
【図８】図７の支持金具の側面図である。
【図９】図７の支持金具と横枝管の関係を示す平面図である。
【符号の説明】
【００３２】
Ａ  支持金具
１  ベースプレート
２  起立ボルト
３  可動プレート
４  並列バンド
５  対向架設プレート
５１  並列隆起部
７  排水ヘッダー
８  横枝管
【図１】
2005054901.tif 000003
【図２】
2005054901.tif 000004
【図３】
2005054901.tif 000005
【図４】
2005054901.tif 000006
【図５】
2005054901.tif 000007
【図６】
2005054901.tif 000008
【図７】
2005054901.tif 000009
【図８】
2005054901.tif 000010
【図９】
2005054901.tif 000011